(57)【要約】      （修正有）【課題】容器本体と蓋体のロックが容易かつ確実で、外観体裁が良好な包装用容器を提供する。【解決手段】底板に対して起立する複数の本体側板２２を備える容器本体１２と、蓋板３１から垂下する複数の蓋側板３２を備える蓋体１３からなる包装用容器である。容器本体１２の本体側板２２にロック片２５ａ，２５ｂを形成し、蓋体１３は蓋側板３２同士を蓋連結板で連結するとともに間隙部３７を形成し、ロック片２５ａ，２５ｂを間隙部３７に位置付けることで容器本体１２と蓋体１３とをロックするロック機構を備える。【選択図】図８
0003185371.tif 000002
【実用新案登録請求の範囲】
【請求項１】
折り曲げ自在な板状部材からなり、
底板と、当該底板に対して起立する第一本体側板と、当該第一本体側板に隣接するとともに当該底板に対して起立する第二本体側板とを有し、上方に本体開口部を有する容器本体と、
蓋板と、当該蓋板から垂下する第一蓋側板と、当該第一蓋側板に隣接するとともに当該蓋板から垂下する第二蓋側板とを有し、下方に蓋開口部を有する蓋体と、
前記容器本体と前記蓋体とをロックするロック機構とを備え、
閉封状態において、前記蓋板が前記本体開口部を被覆し、前記第一蓋側板が前記第一本体側板を被覆し、前記第二蓋側板が前記第二本体側板を被覆し、前記ロック機構が前記容器本体と前記蓋体とをロックする包装用容器であって、
前記容器本体においては、
前記第一本体側板に、前記本体開口部側を基端部とし前記底板側を遊離部とするロック片を備え、
前記蓋体においては、
前記第一蓋側板の前記蓋開口部側の端縁に、前記第一蓋側板の内面側に折り返されて前記第一蓋側板と対向する第一蓋連結板を備え、
前記第一蓋側板と前記第一蓋連結板との間に、少なくとも前記第二蓋側板と連続する第二蓋連結板を備え、
前記第一蓋連結板と前記第二蓋連結板とを連結するとともに前記第一蓋側板と前記第一蓋連結板の自由端縁との間に間隙部を形成し、
前記間隙部は、閉封状態において、前記ロック片の前記基端部より下方に位置付け、
前記ロック機構においては、
前記ロック片の前記遊離部を前記間隙部に位置付けて、前記容器本体と前記蓋体とをロックすることを特徴とする包装用容器。
【請求項２】
前記第一本体側板は前記底板に対して起倒自在であり、閉封状態において、前記第一蓋側板が前記第一本体側板の略直立状態を保持することを特徴とする、請求項１に記載する包装用容器。
【請求項３】
前記容器本体は、前記第一本体側板と前記第二本体側板とに連続する折込板を備えることを特徴とする、請求項２に記載する包装用容器。
【請求項４】
前記遊離部は、前記第一本体側板を切り込んで形成したことを特徴とする、請求項１から請求項３のいずれか一項に記載する包装用容器。
【請求項５】
前記容器本体は、前記第一本体側板に対向するとともに前記底板に対して起立する第三本体側板を有し、当該第三本体側板の前記本体開口部側の端縁に前記蓋体を連続して備えることを特徴とする、請求項１から請求項４のいずれか一項に記載する包装用容器。
【請求項６】
前記第一蓋連結板は、前記第一蓋側板とともに前記第二蓋連結板を挟持する第一蓋連結部と、前記第一蓋側板と前記第二蓋連結板とに挟持される第二蓋連結部とを備えることを特徴とする、請求項１から請求項５のいずれか一項に記載する包装用容器。
【請求項７】
前記第二蓋連結板は、前記第二蓋連結板同士を連結する第五蓋連結部を備えることを特徴とする、請求項１から請求項６のいずれか一項に記載する包装用容器。
【考案の詳細な説明】
【技術分野】
【０００１】  本考案は、容器本体と蓋体からなる包装用容器であって、ロック機構を備えた包装用容器に関する。
【背景技術】
【０００２】  従来、容器本体と蓋体からなる包装用容器として、底板の周囲に複数の本体側板を起立して容器本体を形成し、蓋板の周囲に複数の蓋側板を垂下させ、隣接する蓋側板同士を接着剤等で固着して蓋体を形成する包装用容器が知られている。このような包装用容器では、本体側板に設けた係止片を引き起こし、蓋側板に設けた係止孔に差し込んで、容器本体と蓋体をロックするロック機構が採用されている（例えば、特許文献１、特許文献２参照）。【０００３】  しかし、このような技術においては、容器本体と蓋体をロックするにあたって本体側板に設けた係止片を引き起こし、蓋側板に設けた係止孔に差し込む作業が必要であり、ロックの手間が煩雑であるという問題があった。さらには、ロック機構が外面に露わであるため、外観体裁を損なうという問題があった。
【先行技術文献】
【特許文献】
【０００４】
【特許文献１】実用新案登録３０８７６４６号公報
【特許文献２】実用新案登録３１３２８３９号公報
【考案の概要】
【考案が解決しようとする課題】
【０００５】  本考案は、上記問題を解決すべくなされたものである。本考案の目的は、容器本体と蓋体のロックが容易で、外観体裁が良好な包装用容器の提供である。
【課題を解決するための手段】
【０００６】  本考案の解決しようとする課題は以上の如くであり、次にこの課題を解決するための手段を説明する。【０００７】  第１の考案では、折り曲げ自在な板状部材からなり、
底板と、当該底板に対して起立する第一本体側板と、当該第一本体側板に隣接するとともに当該底板に対して起立する第二本体側板とを有し、上方に本体開口部を有する容器本体と、
蓋板と、当該蓋板から垂下する第一蓋側板と、当該第一蓋側板に隣接するとともに当該蓋板から垂下する第二蓋側板とを有し、下方に蓋開口部を有する蓋体と、
前記容器本体と前記蓋体とをロックするロック機構とを備え、
閉封状態において、前記蓋板が前記本体開口部を被覆し、前記第一蓋側板が前記第一本体側板を被覆し、前記第二蓋側板が前記第二本体側板を被覆し、前記ロック機構が前記容器本体と前記蓋体とをロックする包装用容器であって、
前記容器本体においては、
前記第一本体側板に、前記本体開口部側を基端部とし前記底板側を遊離部とするロック片を備え、
前記蓋体においては、
前記第一蓋側板の前記蓋開口部側の端縁に、前記第一蓋側板の内面側に折り返されて前記第一蓋側板と対向する第一蓋連結板を備え、
前記第一蓋側板と前記第一蓋連結板との間に、少なくとも前記第二蓋側板と連続する第二蓋連結板を備え、
前記第一蓋連結板と前記第二蓋連結板とを連結するとともに前記第一蓋側板と前記第一蓋連結板の自由端縁との間に間隙部を形成し、
前記間隙部は、閉封状態において、前記ロック片の前記基端部より下方に位置付け、
前記ロック機構においては、
前記ロック片の前記遊離部を前記間隙部に位置付けて、前記容器本体と前記蓋体とをロックすることを特徴とする。【０００８】  第２の考案では、前記第一本体側板は前記底板に対して起倒自在であり、閉封状態において、前記第一蓋側板が前記第一本体側板の略直立状態を保持することを特徴とする。【０００９】  第３の考案では、前記容器本体は、前記第一本体側板と前記第二本体側板とに連続する折込板を備えることを特徴とする。【００１０】  第４の考案では、前記遊離部は、前記第一本体側板を切り込んで形成したことを特徴とする。【００１１】  第５の考案では、前記容器本体は、前記第一本体側板に対向するとともに前記底板に対して起立する第三本体側板を有し、当該第三本体側板の前記本体開口部側の端縁に前記蓋体を連続して備えることを特徴とする。【００１２】  第６の考案では、前記第一蓋連結板は、前記第一蓋側板とともに前記第二蓋連結板を挟持する第一蓋連結部と、前記第一蓋側板と前記第二蓋連結板とに挟持される第二蓋連結部とを備えることを特徴とする。【００１３】  第７の考案では、前記第二蓋連結板は、前記第二蓋連結板同士を連結する第五蓋連結部を備えることを特徴とする。
【考案の効果】
【００１４】  第１の考案によれば、係止片を係止孔に挿入するなどの作業を必要とせずに、極めて簡単な作業で容器本体と蓋体を確実にロックすることができる。また、閉封状態においてロック機構が外面に露わにならないため、外観体裁も良好である。【００１５】  第２の考案によれば、第１の考案の効果に加え、閉封状態において第一蓋側板が第一本体側板の略直立状態を保持するため、第一本体側板に形成したロック片が第一蓋側板と接近して容器本体と蓋体とのロックがより確実となる。【００１６】  第３の考案によれば、第２の考案の効果に加え、第一本体側板と第二本体側板とに連続する折込板を備えるため、折込板を容器本体内に折り込めば第一本体側板、第二本体側板は折込板と連動して底板に対して起立した状態が保持され、簡単に容器本体を組み立てることができる。【００１７】  第４の考案によれば、第１から第３の考案の効果に加え、遊離部は第一本体側板を切り込んで形成するため、省資源で簡単にロック機構を形成できる。【００１８】  第５の考案によれば、第１から第４の考案の効果に加え、容器本体と蓋体を１枚の展開体で形成できるため、生産が容易である。【００１９】  第６の考案によれば、第１から第５の考案の効果に加え、接着剤等を使用して固着作業を行わなくても、第一蓋連結板と第二蓋連結板とを連結して、第一蓋側板と第二蓋側板とを強固に連結することができ、生産が容易である。【００２０】  第７の考案によれば、第１から第６の考案の効果に加え、第一蓋連結板と第二蓋連結板とを連結するだけでなく、第二蓋連結板同士をも連結でき、蓋体を組み立てた状態が強固に保持される。
【図面の簡単な説明】
【００２１】
【図１】本考案の第一実施形態に係る包装用容器１１の閉封状態を示す斜視図。
【図２】本考案の第一実施形態に係る包装用容器１１の閉封前の状態を示す斜視図。
【図３】本考案の第一実施形態に係る容器本体１２の展開体１ａを示す平面図。
【図４】本考案の第一実施形態に係る容器本体１２の組み立てが完成した状態を示す斜視図。
【図５】本考案の第一実施形態に係る蓋体１３の展開体１ｂを示す平面図。
【図６】本考案の第一実施形態に係る蓋体１３の組み立てが完成した状態を示す斜視図。
【図７】本考案の第一実施形態に係る蓋体１３における、第一蓋側板３２と第二蓋側板３３の連結を示す部分簡略図で、（ａ）は、第一蓋側板３２の内面に第二蓋連結板３５を重ね、第五蓋連結部３６で第二蓋連結板３５同士を連結した状態を示す簡略図、（ｂ）は、第一蓋連結板３４を第一蓋側板３２と対向させた状態を示す簡略図（第一蓋側板３２と第一蓋連結部３４ａが第三蓋連結部３５ａを挟持した状態を示す簡略図）。（ｃ）は、第二蓋連結部３４ｃを第一蓋側板３２と第四蓋連結部３５ｂの間隙に差し込む途中を示す簡略図（第一蓋側板３２と第四蓋連結部３５ｂが第二蓋連結部３４ｃを挟持する途中の状態を示す簡略図）。（ｄ）は、第一蓋側板３２と第二蓋側板３３の連結が完成した状態を示す簡略図。
【図８】本考案の第一実施形態に係る包装用容器１１のロック機構付近の断面図であって、（ａ）は包装用容器１１を閉封した状態を示す断面図。（ｂ）は包装用容器１１のロック機構が機能している状態を示す断面図。
【図９】本考案の第二実施形態に係る包装用容器１１１の閉封状態を示す斜視図。
【図１０】本考案の第二実施形態に係る包装用容器１１１の開封状態を示す斜視図。
【図１１】本考案の第二実施形態に係る包装用容器１１１の展開体２を示す平面図。
【図１２】本考案の第三実施形態に係る包装用容器２１１の開封状態を示す斜視図。
【図１３】本考案の第三実施形態に係る蓋体２１３における、第一蓋側板３２と第二蓋側板１３３の連結を示す部分簡略図で、（ａ）は、第一蓋側板３２の内面に第二蓋連結板１３５を重ねた状態を示す簡略図。（ｂ）は、第一蓋連結板３４を第一蓋側板３２と対向させた状態を示す簡略図（第一蓋側板３２と第一蓋連結部３４ａが第三蓋連結部１３５ａを挟持した状態を示す簡略図）。（ｃ）は、第二蓋連結部３４ｃを第一蓋側板３２と第四蓋連結部１３５ｂの間隙に差し込む途中を示す簡略図（第一蓋側板３２と第四蓋連結部１３５ｂが第二蓋連結部３４ｃを挟持する途中の状態を示す簡略図）。（ｄ）は、第一蓋側板３２と第二蓋側板１３３の連結が完成した状態を示す簡略図。
【図１４】本考案の第三実施形態に係る包装用容器２１１の展開体３を示す平面図。
【考案を実施するための形態】
【００２２】  本考案の実施形態について説明する。
【００２３】  以下の説明では、容器本体１２、１１２、２１２においては本体開口部１４、１１４、２１４を有する方向を上方、底板２１を有する方向を下方とし、蓋体１３、１１３、２１３においては蓋板３１を有する方向を上方、蓋開口部１５、１１５、２１５を有する方向を下方とする。また、第一本体側板２２に対して第二本体側板２３が配置される方向、及び第一蓋側板３２に対して第二蓋側板３３、１３３が配置される方向を左右方向とする。
【００２４】［第一実施形態］
本考案の実施形態に係る第一実施形態の包装用容器１１について、図１から図８を用いて説明する。
【００２５】  図１、図２に示すように、本実施形態の包装用容器１１は、容器本体１２及び蓋体１３を備えた包装用容器である。
【００２６】  本実施形態においては、図３に示す展開体１ａを組み立てて容器本体１２を、図５に示す展開体１ｂを組み立てて蓋体１３を完成させる。
【００２７】  展開体１ａを組み立てた容器本体１２は、底板２１に対して第一本体側板２２、及び第一本体側板２２に隣接する第二本体側板２３が起立して、上方に本体開口部１４を形成する。展開体１ｂを組み立てた蓋体１３は、蓋板３１から第一蓋側板３２、及び第一蓋側板３２に隣接する第二蓋側板３３が垂下して、下方に蓋開口部１５を形成する。
【００２８】  包装用容器１１の閉封状態においては、蓋板３１は本体開口部１４を、第一蓋側板３２は第一本体側板２２の上方を、第二蓋側板３３は第二本体側板２３の上方を被覆する。また、ロック機構においては、第一本体側板２２に形成した遊離部２５ｂを間隙部３７に位置付けて、容器本体１２と蓋体１３とをロックする。
【００２９】  本実施形態の包装用容器１１は、板紙を用いて作成されるものであるが、段ボール等の厚紙や、プラスチックシートなどの折り曲げ自在な他の板状部材で形成することもできる。包装用容器１１は図３に示す展開体１ａ、及び図５に示す展開体１ｂの状態で保管され、必要に応じて組み立てて使用される。
【００３０】  まず、容器本体１２について説明する。
容器本体１２は、図３に示す展開体１ａを組み立てることで、図４に示す完成品となる。なお、図３に示す展開体１ａは、容器内面側を紙面手前側として示している。
【００３１】  容器本体１２の構成について、図３に従って説明する。
容器本体１２は、底板２１の端縁に折線５１を介して第一本体側板２２を、折線５２を介して第二本体側板２３を起倒自在に連設している。
【００３２】  第一本体側板２２と第二本体側板２３の間には折線５３、折線５４を介して折込板２４を連設している。折込板２４は、第一本体側板２２と第二本体側板２３とに連続している。また、折込板２４には、底板２１の隅部を始点として折込板２４を略二等分する折線５５を形成している。
【００３３】  第一本体側板２２には、ロック片２５を形成している。ロック片２５は、折線で形成した基端部２５ａと、基端部２５ａの両端を繋ぐ略Ｕ字形状の切り込みで形成される。基端部２５ａと略Ｕ字形状の切り込みで区画された領域は、基端部２５ａを軸線として第一本体側板２２に対して起倒可能な遊離部２５ｂを形成する。
【００３４】  次に、容器本体１２の組み立てについて、図３、図４に従って説明する。
容器本体１２は、折込片２４を容器本体１２の内側に折り込むとともに、第一本体側板２２及び第二本体側板２３を底板２１に対して起立させることで完成する。
【００３５】  具体的には、折込板２４に形成した折線５３、折線５４を谷折りし、折線５５を山折りして、折込板２４の表面同士を重ね合わせて折込板２４を容器本体１２内に折り込むとともに、底板２１の端縁に形成した折線５１、折線５２を谷折りして第一本体側板２２、第二本体側板２３を底板２１に対して起立させれば、上方に本体開口部１４を有する容器本体１２の組み立てが完成する。この状態において、第一本体側板２２、第二本体側板２３は折込板２４によって起立状態が保持される一方で、板紙の有する折り曲げ反発作用により容器本体１２の外側方向へ倒伏しようとする力が働いているため、底板２１に対して直立状態ではなく、容器本体１２の外側方向へやや傾斜した状態で起立が保持される。
【００３６】  また、この状態において、ロック片２５は上方に基端部２５ａ、下方に遊離部２５ｂが配置される。
【００３７】  次に、蓋体１３について説明する。
蓋体１３は、図５に示す展開体１ｂを組み立てることで、図６に示す完成品となる。なお、図５に示す展開体１ｂは、容器内面側を紙面手前側として示している。
【００３８】  蓋体１３の構成について、図５に従って説明する。
蓋体１３は、蓋板３１の端縁に折線５６を介して第一蓋側板３２を、折線５７を介して第二蓋側板３３を連設している。第一蓋側板３２の端縁には、折線５９を介して第一蓋連結板３４を連設している。第一蓋連結板３４は、第一蓋側板３２側に第一蓋連結部３４ａを形成し、自由端側に切欠部３４ｂを介して第二蓋連結部３４ｃを連続して形成している。第一蓋連結板３４の具体的な構成については後述する蓋体１３の組み立ての説明と合わせて説明する。
【００３９】  第二蓋側板３３の端縁には、折線５８を介して第二蓋連結板３５を連設している。第二蓋連結板３５は、展開体１ｂの外縁側に第三蓋連結部３５ａを、内側の折線５８側に第四蓋連結部３５ｂを形成している。第二蓋連結板３５の自由端側には、第五蓋連結部３６を切り込み形成している。第二蓋連結板３５の具体的な構成については後述する蓋体１３の組み立ての説明と合わせて説明する。
【００４０】  次に蓋体１３の組み立てについて図５から図７に従って説明する。
蓋体１３は、蓋板３１から第一蓋側板３２、第二蓋側板３３を垂下させるとともに、第一蓋側板３２と第二蓋側板３３とを連結することで完成する。
【００４１】  具体的には、蓋体１３は、まず、蓋板３１の端縁に形成した折線５６、折線５７を谷折して、蓋板３１から第一蓋側板３２、第二蓋側板３３を垂下させる。次に、図７（ａ）に示すように、第二蓋側板３３の端縁に形成した折線５８を谷折りして、第二蓋連結板３５を第一蓋側板３２の内面に重ねる。このとき、第三蓋連結部３５ａは、第一蓋側板３２の蓋開口部１５側に沿い、第四蓋連結部３５ｂは、第一蓋側板３２の左右端側に沿うように重ねられる。この状態において、第二蓋連結板３５の自由端同士は重なり合っており、当該重なりの中心位置に第五蓋連結部３６が切り込み形成されている。第五蓋連結部３６の切り込み同士を互いに差し込んで係止することで、第二蓋連結板３５同士が連結されるとともに、第二蓋側板３３は蓋板３１から垂下した状態で保持される。
【００４２】  次に、図７（ｂ）に示すように、第一蓋側板３２の端縁に連設した第一蓋連結板３４を折線５９を介して第一蓋側板３２の内面側に折り返し、第一蓋側板３２と対向させる。ここで、第一蓋連結部３４ａは、第一蓋連結板３２と略同一の左右幅に形成されており、第三蓋連結部３５ａを介して第一蓋側板３２と対向している。切欠部３４ｂは、第四蓋連結部３５ｂを介さない幅に左右端が切り欠かれて第一蓋側板３２と対向している。第二蓋連結部３４ｃは、第一蓋側板３２よりも若干狭い左右幅であって、左右端部が第四蓋連結部３５ｂを介して第一蓋側板３２と対向している。また、第一蓋連結板３４の上下幅は、閉封状態において間隙部３７をロック片２５の基端部２５ａより下方に位置させるべく、第一蓋側板３２の上下幅（折線５６と折線５９の間の上下幅）より短い上下幅で形成している。この状態において、第一蓋側板３２と第一蓋連結部３４ａは第三蓋連結部３５ａを挟持した状態となる。
【００４３】  次に、図７（ｃ）に示すように、切欠部３４ｂを介して第二蓋連結部３４ｃの左右端部を第一蓋側板３２と第四蓋連結部３５ｂとの間隙に差し込む。ここで、切欠部３４ｂは第一蓋側板３２と対向した状態において第四蓋連結部３５ｂを介さない左右幅に切り欠かれているため、第一蓋連結部３４ａの左右幅が第一蓋側板３２の左右幅と略同一幅であっても、切欠部３４ｂを介して第二蓋連結部３４ｃの左右端部を第一蓋側板３２と第四蓋連結部３５ｂとの間隙に差し込むことができる。また、第二蓋連結部３４ｃは、第一蓋側板３２より若干狭い左右幅で形成しているため、第一蓋側板３２と第四蓋連結部３５ｂとの間隙に差込みやすい。第二蓋連結部３４ｃが第一蓋側板３２と第四蓋連結部３５ｂとの間隙に差し込まれれば、図７（ｄ）に示すように、第二蓋連結部３４ｃの左右端部が第一蓋側板３２と第四蓋連結部３５ｂとに挟持された状態となる。
【００４４】  上記の如く、第一蓋連結板３４と第二蓋連結板３５は、第一蓋側板３２と第一蓋連結板３４（第一蓋連結部３４ａ）が第二蓋連結板３５（第三蓋連結部３５ａ）を挟持し、第一蓋連結板３４（第二蓋連結部３４ｃ）が第一蓋側板３２と第二蓋連結板３５（第四蓋連結部３５ｂ）に挟持されることで連結され、第二蓋連結板３５同士も第五蓋連結部３６の係止によって連結される。これにより、第一蓋側板３２と第二蓋側板３３は強固に連結される。また、このように組み立てられた蓋体１３は、第一蓋側板３２と第一蓋連結板３４の自由端縁との間に間隙部３７を形成する。
【００４５】  包装用容器１１の閉封について説明する。
図２に示すように、包装用容器１１を閉封する場合、予め第一本体側板２２に形成したロック片２５の遊離部２５ｂを容器本体１２の外側に立ち上げておく。そして、第一本体側板２２、第二本体側板２３を手で支えるなどして一時的に略直立状態として、蓋板３１を本体開口部１４に被せるとともに、第一蓋側板３２を第一本体側板２２の上方に、第二蓋側板３３を第二本体側板２３の上方に被せれば、容器本体１２は閉封状態となる。この状態において、間隙部３７はロック片２５の基端部２５ａより下方に位置付けられる。また、第一蓋側板３２は底板２１に対する第一本体側板２２の略直立状態を保持し、第二蓋側板３３は底板２１に対する第二本体側板２３の略直立状態を保持する。
【００４６】  包装用容器１１のロック機構について説明する。
包装用容器１１のロック機構は、容器本体１２の第一本体側板２２に形成したロック片２５の遊離部２５ｂを間隙部３７に位置付けることで機能する。
【００４７】  具体的には、図８（ａ）に示すように、閉封状態の包装用容器１１は、第一本体側板２２のロック片２５付近と第一蓋側板３２との間に少なくとも第一蓋連結板３４と第二蓋連結板３５を重ねた厚み幅以上の隙間が生じているため、ロック片２５の遊離部２５ｂは容器本体１２の外側に立ち上がった状態を保持している、また、上記のとおり、隙間部３７はロック片２５の基端部２５ａの下方に位置付けられている。従って、図８（ｂ）に示すように、蓋体１３を持ち上げて開封しようとしても、ロック片２５の遊離部２５ｂが隙間部３７に位置付けられ、容器本体１２と蓋体１３がロックされる。また、本実施形態の容器本体１２では、前記の如く第一本体側板２２が、板紙の折り曲げ反発作用により容器本体１２の外側へ倒伏しようとする力が働いているため、第一本体側板２２に形成されたロック片２５は第一蓋側板３２と接近し、隙間部３７に位置付けられやすい。ロックを解除して開封するためには、第一本体側板２２の、ロック片２５よりやや下方を押しながら蓋体１３を持ち上げれば、遊離部２５ｂは間隙部３７から離れて簡単に開封できる。また、遊離部２５ｂの自由端縁が本体開口部１４側へ持ち上がるまで蓋体１３を持ち上げる力を加えることによっても開封できる。
【００４８】  上記の説明のように、本実施形態の包装用容器１１は、
折り曲げ自在な板状部材からなり、
底板２１と、当該底板２１に対して起立する第一本体側板２２と、第一本体側板２２に隣接するとともに底板２１に対して起立する第二本体側板２３とを有し、上方に本体開口部１４を有する容器本体１２と、
蓋板３１と、蓋板３１から垂下する第一蓋側板３２と、第一蓋側板３２に隣接するとともに蓋板３１から垂下する第二蓋側板３３とを有し、下方に蓋開口部１５を有する蓋体１３と、
容器本体１２と蓋体１３とをロックするロック機構とを備え、
閉封状態において、蓋板３１が本体開口部１４を被覆し、第一蓋側板３２が第一本体側板２２を被覆し、第二蓋側板３３が第二本体側板２３を被覆し、ロック機構が容器本体１２と蓋体１３とをロックする包装用容器１１であって、
容器本体１２においては、
第一本体側板２２に、本体開口部１４側を基端部２５ａとし底板２１側を遊離部２５ｂとするロック片２５を備え、
蓋体１３においては、
第一蓋側板３２の蓋開口部１５側の端縁に、第一蓋側板３２の内面側に折り返されて第一蓋側板３２と対向する第一蓋連結板３４を備え、
第一蓋側板３２と第一蓋連結板３４との間に、少なくとも第二蓋側板３３と連続する第二蓋連結板３５を備え、
第一蓋連結板３４と第二蓋連結板３５とを連結するとともに第一蓋側板３２と第一蓋連結板３４の自由端縁との間に間隙部３７を形成し、
前記間隙部３７は、閉封状態において、前記ロック片２５の前記基端部２５ａより下方に位置付け、
ロック機構においては、
ロック片２５の遊離部２５ｂを間隙部３７に位置付けて、容器本体１２と蓋体１３とをロックする。
【００４９】  このため、係止片を係止孔に挿入するなどの作業を必要とせずに、極めて簡単な作業で容器本体１２と蓋体１３を確実にロックすることができる。また、閉封状態においてロック機構が外面に露わにならないため、外観体裁も良好である。
【００５０】  また、本実施形態による第一本体側板２２は底板２１に対して起倒自在であり、閉封状態において、第一蓋側板３２が第一本体側板２２の略直立状態を保持する。
【００５１】  このため、第一本体側板２２に形成したロック片２５が第一蓋側板３２と接近して容器本体１２と蓋体１３とのロックがより確実となる。
【００５２】  また、容器本体１１は、第一本体側板２２と第二本体側板２３とに連続する折込板２４を備える。
【００５３】  このため、折込板２４を容器本体１２内に折り込めば第一本体側板２２、第二本体側板２３は折込板２４と連動して底板２１に対して起立した状態が保持され、簡単に容器本体１２を組み立てることができる。
【００５４】  また、遊離部２５ｂは、第一本体側板２２を切り込んで形成している。
【００５５】  このため、省資源で簡単にロック機構を形成できる。
【００５６】  また、第一蓋連結板３４は、第一蓋側板３２とともに第二蓋連結板３５を挟持する第一蓋連結部３４ａと、第一蓋側板３２と第二蓋連結板３５とに挟持される第二蓋連結部３４ｃとを備える。
【００５７】  このため、接着剤等を使用して固着作業を行わなくても第一蓋連結板３４と第二蓋連結板３５とを連結して、第一蓋側板３２と第二蓋側板３３とを強固に連結することができ、生産が容易である。
【００５８】  また、第二蓋連結板３５は、第二蓋連結板３５同士を連結する第五蓋連結部３６を備える。
【００５９】  このため、第一蓋連結板３４と第二蓋連結板３５とを連結するだけでなく、第二蓋連結板３５同士をも連結でき、蓋体１３を組み立てた状態が強固に保持される。
【００６０】［第二実施形態］
次に、本考案に係る第二実施形態の包装用容器１１１について、第一実施形態と異なる構成を中心に図９から図１１を用いて説明する。本実施形態において、第一実施形態と同一の構成については同じ符号を付し、説明は省略する。
【００６１】  本実施形態においては、容器本体１１２に蓋体１１３を連続して一体に形成している構成が第一実施形態と大きく異なる。
【００６２】  包装用容器１１１は、図１１に示す展開体２を組み立てることで完成する。
【００６３】  展開体２を組み立てた包装用容器１１１は、容器本体１１２の本体開口部１１４の端縁に蓋体１１３を連続して一体に形成している。容器本体１１２は、底板２１に対して第一本体側板２２、第一本体側板２２に隣接する第二本体側板２３、及び第一本体側板２２に対向する第三本体側板２６が起立して、上方に本体開口部１１４を形成する。蓋体１１３は、蓋板３１から第一蓋側板３２、第一蓋側板３２に隣接する第二蓋側板１３３が垂下して、下方に蓋開口部１１５を形成する。
【００６４】  包装用容器１１１の閉封状態においては、蓋板３１は本体開口部１１４を、第一蓋側板３２は第一本体側板２２の上方を、第二蓋側板１３３は第二本体側板２３の上方を被覆し、ロック機構においては、第一本体側板２２に形成した遊離部２５ｂを間隙部３７に位置付けて、容器本体１１２と蓋体１１３とをロックする。
【００６５】  本実施形態の包装用容器１１１は、図１１に示す展開体２の状態で保管され、必要に応じて組み立てて使用される。
【００６６】  なお、図１１に示す展開体２は、容器内面側を紙面手前側として示している。
【００６７】  まず、容器本体１１２について説明する。
容器本体１１２の構成について、図１１に従って説明する。
容器本体１１２は、底板２１の端縁に折線５１を介して第一本体側板２２を、折線５２を介して第二本体側板２３を、折線５１を介して第三本体側板２６を起倒自在に連設している。
【００６８】  第一本体側板２２と第二本体側板２３の間には折線５３、折線５４を介して折込板２４を連設している。折込板２４は、第一本体側板２２と第二本体側体２３とに連続している。第二本体側板２３と第三本体側板２６の間には折線５３、折線５４を介して折込板１２４を連設している。折込板１２４は第二本体側板２３と第三本体側板２６とに連続している。また、折込板２４には底板２１の隅部を始点として折込板２４を略二等分する折線５５を形成している。折込板１２４には底板２１の隅部を始点として折込板１２４を略二等分する折線１５５を形成している。
【００６９】  第一本体側板２２には、略Ｕ字形状に切り込んだロック片２５を形成している。ロック片２５の具体的な構成については、実施形態１と同じ構成であるため、説明を省略する。
【００７０】  次に、容器本体１１２の組み立てについて、図１０及び図１１に従って説明する。
容器本体１１２は、折込板２４、折込板１２４を容器本体１１２内に折り込むとともに、第一本体側板２２、第二本体側板２３、第三本体側板２６を底板２１に対して起立させることで完成する。
【００７１】  具体的には、容器本体１１２は、折込板２４の折線５３、折線５４を谷折りし、折線５５を山折りして折込板２４の表面同士を重ね合わせて折込板２４を容器本体１１２内に折り込む。続いて、折込板１２４の折線５３、折線５４を谷折りし、折線１５５を山折りして、折込板１２４の表面同士を重ね合わせて折込板１２４を容器本体１１２内に折り込む。さらに、折線５１、折線５２を谷折りして第一本体側板２２、第二本体側板２３、及び第三本体側板２６を底板２１に対して起立させれば、上方に本体開口部１１４を形成する容器本体１１２の組み立てが完成する。この状態において、第一本体側板２２、第二本体側板２３、及び第三本体側板２６は折込板２４、折込板１２４によって起立状態が保持される一方で、板紙の有する折り曲げ反発作用により容器本体１１２の外側方向へ倒伏しようとする力が働いているため、底板２１に対して直立状態ではなく、容器本体１１２の外側方向へやや傾斜した状態で起立が保持される。
【００７２】  次に、蓋体１１３について説明する。
蓋体１１３の構成について、図１１に従って説明する。
蓋体１１３は、容器本体１１２の第三本体側板２６の本体開口部１１４側の端縁に、折線６０を介して蓋板３１が連設される。蓋板３１の端縁には折線５６を介して第一蓋側板３２を、折線５７を介して第二蓋側板１３３を連設している。第一蓋側板３２の端縁には、折線５９を介して第一蓋連結板３４を連設している。第二蓋側板１３３の端縁には、折線５８を介して第二蓋連結板３５を連設している。第一蓋連結板３４、第二蓋連結板３５の具体的な構成については、実施形態１と同じ構成であるため、説明を省略する。
【００７３】  蓋体１１３の組み立てについては、実施形態１と同様であるため、説明を省略する。
【００７４】  包装用容器１１１の閉封について説明する。
包装用容器１１１を閉封する場合、第一本体側板２２に形成したロック片２５の遊離部２５ｂを容器本体１１２の外側に立ち上げておく。そして、第一本体側板２２、第二本体側板２３、第三側板２６を手で支えるなどして一時的に略直立状態としながら、蓋体１１３を折線６０を軸線として回動させ、蓋板３１を本体開口部１１４に被せるとともに、第一蓋側板３２を第一本体側板２２の上方に、第二蓋側板１３３を第二本体側板２３の上方に被せれば、容器本体１１２は閉封状態となる。この状態において、間隙部３７はロック片２５の基端部２５ａよりも下方に位置付けられる。また、第一蓋側板３２は底板２１に対する第一本体側板２２の略直立状態を保持し、第二蓋側板１３３は底板２１に対する第二本体側板２３の略直立状態を保持する。
【００７５】  包装用容器１１１のロック機構については、第一実施形態と同じ構成であるため、説明を省略する。
【００７６】  上記の説明のように、本実施形態の包装用容器１１１は、
折り曲げ自在な板状部材からなり、
底板２１と、当該底板２１に対して起立する第一本体側板２２と、第一本体側板２２に隣接するとともに底板２１に対して起立する第二本体側板２３とを有し、上方に本体開口部１１４を有する容器本体１１２と、
蓋板３１と、蓋板３１から垂下する第一蓋側板３２と、第一蓋側板３２に隣接するとともに蓋板３１から垂下する第二蓋側板１３３とを有し、下方に蓋開口部１１５を有する蓋体１１３と、
容器本体１１２と蓋体１１３とをロックするロック機構とを備え、
閉封状態において、蓋板３１が本体開口部１１４を被覆し、第一蓋側板３２が第一本体側板２２を被覆し、第二蓋側板１３３が第二本体側板２３を被覆し、ロック機構が容器本体１１２と蓋体１１３とをロックする包装用容器１１１であって、
容器本体１１２においては、
第一本体側板２２に、本体開口部１１４側を基端部２５ａとし底板２１側を遊離部２５ｂとするロック片２５を備え、
蓋体１１３においては、
第一蓋側板３２の蓋開口部１１５側の端縁に、第一蓋側板３２の内面側に折り返されて第一蓋側板３２と対向する第一蓋連結板３４を備え、
第一蓋側板３２と第一蓋連結板３４との間に、少なくとも第二蓋側板１３３と連続する第二蓋連結板３５を備え、
第一蓋連結板３４と第二蓋連結板３５とを連結するとともに第一蓋側板３２と第一蓋連結板３４の自由端縁との間に間隙部３７を形成し、
前記間隙部３７は、閉封状態において、前記ロック片２５の前記基端部２５ａより下方に位置付け、
ロック機構においては、
ロック片２５の遊離部２５ｂを間隙部３７に位置付けて、容器本体１１２と蓋体１１３とをロックする。
【００７７】  このため、係止片を係止孔に挿入するなどの作業を必要とせずに、極めて簡単な作業で容器本体１１２と蓋体１１３を確実にロックすることができる。また、閉封状態においてロック機構が外面に露わにならないため、外観体裁も良好である。
【００７８】  また、本実施形態による第一本体側板２２は底板２１に対して起倒自在であり、閉封状態において、第一蓋側板３２が第一本体側板２２の略直立状態を保持する。
【００７９】  このため、第一本体側板２２に形成したロック片２５が第一蓋側板３２と接近して容器本体１１２と蓋体１１３とのロックがより確実となる。
【００８０】  また、容器本体１１１は、第一本体側板２２と第二本体側板２３とに連続する折込板２４を備える。
【００８１】  このため、折込板２４を容器本体１１２内に折り込めば第一本体側板２２、第二本体側板２３は折込板２４と連動して底板２１に対して起立した状態が保持され、簡単に容器本体１１２を組み立てることができる。
【００８２】  また、遊離部２５ｂは、第一本体側板２２を切り込んで形成している。
【００８３】  このため、省資源で簡単にロック機構を形成できる。
【００８４】  また、容器本体１１２は、第一本体側板２２に対向するとともに底板２１に対して起立する第三本体側板２６を有し、第三本体側板２６の本体開口部１１４側の端縁に蓋体１１３を連続して備える。
【００８５】  このため、容器本体１１２と蓋体１１３を１枚の展開体２で形成できるため、生産が容易である。
【００８６】  また、第一蓋連結板３４は、第一蓋側板３２とともに第二蓋連結板３５を挟持する第一蓋連結部３４ａと、第一蓋側板３２と第二蓋連結板３５とに挟持される第二蓋連結部３４ｃとを備える。
【００８７】  このため、接着剤等を使用して固着作業を行わなくても第一蓋連結板３４と第二蓋連結板３５とを連結して、第一蓋側板３２と第二蓋側板１３３とを強固に連結することができ、生産が容易である。
【００８８】  また、第二蓋連結板３５は、第二蓋連結板３５同士を連結する第五蓋連結部３６を備える。
【００８９】  このため、第一蓋連結板３４と第二蓋連結板３５とを連結するだけでなく、第二蓋連結板３５同士も連結でき、蓋体１１３を組み立てた状態が強固に保持される。
【００９０】［第三実施形態］
次に、本考案に係る第三実施形態の包装用容器２１１について、第一実施形態、第二実施形態と異なる構成を中心に図１２から図１４を用いて説明する。本実施形態において、第一実施形態、第二実施形態と同一の構成については同じ符号を付し、説明は省略する。
【００９１】  本実施形態において、容器本体２１２の構成については、補助板２７の構成が第一実施形態、第二実施形態と異なる。蓋体２１３の構成については、第二蓋連結板１３５の構成が第一実施形態、第二実施形態と異なる。
【００９２】  包装用容器２１１は、図１４に示す展開体３を組み立てることで完成する。
【００９３】  展開体３を組み立てた包装用容器２１１は、容器本体２１２の本体開口部２１４の端縁に蓋体２１３を連続して一体に形成している。容器本体２１２は、底板２１に対して第一本体側板２２、第一本体側板２２に隣接する第二本体側板２３、第一本体側板２２に対向する第三本体側板２６が起立して、上方に本体開口部２１４を形成する。展開体３を組み立てた蓋体２１３は、蓋板３１から第一蓋側板３２、第一蓋側板３２に隣接する第二蓋側板１３３が垂下して、下方に蓋開口部２１５を形成する。
【００９４】  包装用容器２１１の閉封状態においては、蓋板３１は本体開口部２１４を、第一蓋側板３２は第一本体側板２２の上方を、第二蓋側板１３３は第二本体側板２３の上方を被覆し、ロック機構においては、第一本体側板２２に形成した遊離部２５ｂを間隙部３７に位置付けて、容器本体２１２と蓋体２１３とをロックする。
【００９５】  本実施形態の包装用容器２１１は、図１４に示す展開体３の状態で保管され、必要に応じて組み立てて使用される。
【００９６】  なお、図１３に示す展開体３は、容器内面側を紙面手前側として示している。
【００９７】  まず、容器本体２１２について説明する。
容器本体２１２の構成について、図１４に従って説明する。
容器本体２１２は、底板２１の端縁に折線５１を介して第一本体側板２２を、折線５２を介して第二本体側板２３を、折線５１を介して第三本体側板２６を起倒自在に連設している。また、第二本体側板２３の端縁には、折線５４を介して補助板２７を連設している。補助板２７の自由端側には、補助板連結部２８を切り込み形成している。
【００９８】  第一本体側板２２には、略Ｕ字形状に切り込んだロック片２５を形成している。ロック片２５の具体的な構成については、第一実施形態、第二実施形態と同じ構成であるため、説明を省略する。
【００９９】  容器本体２１２の組み立てについて、図１２、図１４に従って説明する。
容器本体２１２は、第二本体側板２３を底板２１に対して起立させ、補助板２７を容器本体２１２内に折り込んで補助板２７同士を補助板連結部２８で連結し、第一本体側板２２、第三本体側板２６を底板に対して起立させることで完成する。
【０１００】  具体的には、まず、底板２１の端縁に形成した折線５２を谷折りして第二本体側板２３を底板２１に対して起立させる。続いて、第二本体側板２３の端縁に形成した折線５４を谷折りして補助板２７を折線５１上に折り込む、この状態において、補助板２７の自由端同士は重なり合っており、当該重なりの中心位置に補助板連結部２８を切り込み形成している。補助板連結部２８の切り込み同士を互いに差し込んで係止して、第二本体側板２３を底板２１に対して略直立した状態で保持する。さらに、折線５１を谷折りして第一本体側板２２、第三本体側板２６を底板２１に対して起立させることで、上方に本体開口部２１４を備える容器本体２１２の組み立てが完成するが、この状態においては、第一本体側板２２、第三本体側板２６は板紙の有する折り曲げ反発力により、容器本体２１２の外側へ倒伏しようとする力が働き、第一本体側板２２、第三本体側板２６の起立状態を保持することができない。
【０１０１】  次に、蓋体２１３について説明する。
蓋体２１３の構成について、図１４に従って説明する。
【０１０２】  蓋体２１３は、容器本体２１２の第三本体側板２６の本体開口部２１４側の端縁に、折線６０を介して蓋板３１が連設される。蓋板３１の端縁には折線５６を介して第一蓋側板３２を、折線５７を介して第二蓋側板１３３を連設している。第一蓋側板３２の端縁には、折線５９を介して第一蓋連結板３４を形成している。また、本実施形態では、蓋体２１３を構成する第二蓋連結板１３５を、第一蓋側板３２と第二蓋側板１３３の間に折線５８、折線６１を介して形成している。つまり、第二蓋連結板１３５は、第一蓋側板３２と第二蓋側板１３３とに連続している。第二蓋連結板１３５は略四角形状に形成され、折線５８と折線６１の交点付近を始点として第二蓋連結板１３５を略二等分する折線６２を形成している。第二蓋連結板１３５は第三蓋連結部１３５ａ、第四蓋連結部１３５ｂを備える。第一蓋連結板３４、第二蓋連結板３５の具体的な構成については組み立ての説明と合わせて説明する。
【０１０３】  次に蓋体２１３の組み立てについて図１２から図１４に従って説明する。
蓋体２１３は、蓋板３１から第一蓋側板３２、第二蓋側板１３３を垂下させるとともに、第一蓋側板３２と第二蓋側板１３３とを連結することで完成する。
【０１０４】  具体的には、蓋体２１３は、第二蓋連結板１３５の折線５８、６１を谷折りし、折線６２を山折りして、第二蓋連結板１３５の表面同士を重ね合わせて第二蓋連結板１３５を蓋体２１３内に折り込むとともに、蓋板３１の端縁に形成した折線５６、５７を谷折りして、蓋板３１から第一蓋側板３２、第二蓋側板１３３を垂下させる。
【０１０５】  次に、図１３（ａ）に示すように、蓋体２１３内に折り込んた第二蓋連結板１３５を第一蓋側板３２の内面に重ねる。この状態では、第二蓋連結板１３５は略三角形状である。第二蓋連結板１３５に形成した折線６２は、略三角形状の一辺を構成し、折線５６と折線５８の交点付近を始点として約４５度の角度で第一蓋側板３２の蓋開口部２１５側に至る。ここで、第二蓋連結板１３５の左右幅が広い側（蓋開口部２１５側）が第三蓋連結部１３５ａを形成し、左右幅が狭い側（蓋板３１側）が第四蓋連結部１３５ｂを形成する。
【０１０６】  次に、図１３（ｂ）に示すように、第一蓋側板３２の端縁に連設した第一蓋連結板３４を折線５９を介して第一蓋側板３２の内面側に折り返し、第一蓋側板３２と対向させる。ここで、第一蓋連結部３４ａは、第一蓋連結板３２と略同一の左右幅に形成されており、第三蓋連結部１３５ａを介して第一蓋側板３２と対向している。切欠部３４ｂは、第四蓋連結部１３５ｂを介さない幅に左右端が切り欠かれて第一蓋側板３２と対向している。第二蓋連結部３４ｃは、第一蓋側板３２よりも若下狭い左右幅であって、左右端部が第四蓋連結部１３５ｂを介して第一蓋側板３２と対向している。また、第一蓋連結板３４の上下幅は、閉封状態において間隙部３７をロック片２５の基端部２５ａより下方に位置させるべく、第一蓋側板３２の上下幅（折線５６と折線５９の間の上下幅）より短い上下幅で形成している。この状態において、第一蓋側板３２と第一蓋連結部３４ａは第三蓋連結部１３５ａを挟持した状態となる。
【０１０７】  次に、図１３（ｃ）に示すように、切欠部３４ｂを介して第二蓋連結部３４ｃの左右端部を第一蓋側板３２と第四蓋連結部１３５ｂとの間隙に差し込む。ここで、切欠部３４ｂは第一蓋側板３２と対向した状態において第四蓋連結部１３５ｂを介さない左右幅に切り欠かれているため、第一蓋連結部３４ａの左右幅が第一蓋側板３２の左右幅と略同一幅であっても、切欠部３４ｂを介して第二蓋連結部３４ｃの左右端部を第一蓋側板３２と第四蓋連結部１３５ｂとの間隙に差し込むことができる。また、第二蓋連結部３４ｃは、第一蓋側板３２より若下狭い左右幅で形成しているため、第一蓋側板３２と第四蓋連結部１３５ｂとの間隙に差込みやすい。第二蓋連結部３４ｃが第一蓋側板３２と第四蓋連結部１３５ｂとの間隙に差し込まれれば、図１３（ｄ）に示すように、第二蓋連結部３４ｃの左右端部が第一蓋側板３２と第四蓋連結部１３５ｂとに挟持された状態となる。
【０１０８】  上記の如く、第一蓋連結板３４と第二蓋連結板１３５は、第一蓋側板３２と第一蓋連結板３４（第一蓋連結部３４ａ）が第二蓋連結板１３５（第三蓋連結部１３５ａ）を挟持し、第一蓋連結板３４（第二蓋連結部３４ｃ）が第一蓋側板３２と第二蓋連結板１３５（第四蓋連結部１３５ｂ）に挟持されることで連結され、第一蓋側板３２と第二蓋側板１３３は強固に連結される。また、このように組み立てられた蓋体１１３は、第一蓋側板３２と第一蓋連結板３４の自由端縁との間に間隙部３７を形成する。
【０１０９】  包装用容器２１１の閉封について説明する。
包装用容器２１１を閉封する場合、第一本体側板２２に形成したロック片２５の遊離部２５ｂを容器本体２１２の外側に立ち上げておく。そして、第一本体側板２２、第三本体側板２６を手で支えるなとして一時的に略直立状態としながら、蓋体２１３を折線６０を軸線として回動させ、蓋板３１を本体開口部２１４に被せるとともに、第一蓋側板３２を第一本体側板２２の上方に、第二蓋側板１３３を第二本体側板２３の上方に被せれば、容器本体２１２は閉封状態となる。この状態において、間隙部３７はロック片２５の基端部２５ａよりも下方に位置付けられる。また、第一蓋側板３２は底板２１に対する第一本体側板２２の略直立状態を保持する。
【０１１０】  包装用容器１１１のロック機構については、実施形態１、実施形態２と同じ構成であるため、説明を省略する。
【０１１１】  上記の説明のように、本実施形態の包装用容器２１１は、
折り曲げ自在な板状部材からなり、
底板２１と、当該底板２１に対して起立する第一本体側板２２と、第一本体側板２２に隣接するとともに底板２１に対して起立する第二本体側板２３とを有し、上方に本体開口部２１４を有する容器本体２１２と、
蓋板３１と、蓋板３１から垂下する第一蓋側板３２と、第一蓋側板３２に隣接するとともに蓋板３１から垂下する第二蓋側板１３３とを有し、下方に蓋開口部２１５を有する蓋体２１３と、
容器本体２１２と蓋体２１３とをロックするロック機構とを備え、
閉封状態において、蓋板３１が本体開口部２１４を被覆し、第一蓋側板３２が第一本体側板２２を被覆し、第二蓋側板１３３が第二本体側板２３を被覆し、ロック機構が容器本体２１２と蓋体２１３とをロックする包装用容器２１１であって、
容器本体２１２においては、
第一本体側板２２に、本体開口部２１４側を基端部２５ａとし底板２１側を遊離部２５ｂとするロック片２５を備え、
蓋体２１３においては、
第一蓋側板３２の蓋開口部２１５側の端縁に、第一蓋側板３２の内面側に折り返されて第一蓋側板３２と対向する第一蓋連結板３４を備え、
第一蓋側板３２と第一蓋連結板３４との間に、少なくとも第二蓋側板１３３と連続する第二蓋連結板１３５を備え、
第一蓋連結板３４と第二蓋連結板１３５とを連結するとともに第一蓋側板３２と第一蓋連結板３４の自由端縁との間に間隙部３７を形成し、
前記間隙部３７は、閉封状態において、前記ロック片２５の前記基端部２５ａより下方に位置付け、
ロック機構においては、
ロック片２５の遊離部２５ｂを間隙部３７に位置付けて、容器本体２１２と蓋体２１３とをロックする。
【０１１２】  このため、係止片を係止孔に挿入するなどの作業を必要とせずに、極めて簡単な作業で容器本体２１２と蓋体２１３を確実にロックすることができる。また、閉封状態においてロック機構が外面に露わにならないため、外観体裁も良好である。
【０１１３】  また、本実施形態による第一本体側板２２は底板２１に対して起倒自在であり、閉封状態において、第一蓋側板３２が第一本体側板２２の略直立状態を保持する。
【０１１４】  このため、第一本体側板２２に形成したロック片２５が第一蓋側板３２と接近して容器本体２１２と蓋体２１３とのロックがより確実となる。
【０１１５】  また、遊離部２５ｂは、第一本体側板２２を切り込んで形成している。
【０１１６】  このため、省資源で簡単にロック機構を形成できる。
【０１１７】  また、容器本体２１２は、第一本体側板２２に対向するとともに底板２１に対して起立する第三本体側板２６を有し、第三本体側板２６の本体開口部２１４側の端縁に蓋体２１３を連続して備えることを特徴とする。
【０１１８】  このため、容器本体２１２と蓋体２１３を１枚の展開体３で形成できるため、生産が容易である。
【０１１９】  また、第一蓋連結板３４は、第一蓋側板３２とともに第二蓋連結板１３５を挟持する第一蓋連結部３４ａと、第一蓋側板３２と第二蓋連結板１３５とに挟持される第二蓋連結部３４ｃとを備える。
【０１２０】  このため、接着剤等を使用して固着作業を行わなくても第一蓋連結板３４と第二蓋連結板１３５とを連結して、第一蓋側板３２と第二蓋側板１３３とを強固に連結することができ、生産が容易である。
【０１２１】  以上、本考案の第一実施形態から第三実施形態について説明したが、本考案はこれらの実施形態に限定されない。
【０１２２】  第一実施形態、第二実施形態では、第五蓋連結部３６同士を係止して第二蓋連結板３５同士を連結しているが、第五蓋連結部３６を形成せず、第二蓋連結板３５同士を連結しなくともよく、適宜変更が可能である。
【０１２３】  また、第一蓋連結板３４、第二蓋連結板３５、第二蓋連結板１３５はこれらの形状に限定されるものでなく、第一蓋側板３４と第二蓋連結板３５が連結される形状であればよく、形状の変更は適宜可能である。
【符号の説明】
【０１２４】１ａ      展開体
１ｂ      展開体
２        展開体
３        展開体
１１      包装用容器
１２      容器本体
１３      蓋体
１４      本体開口部
１５      蓋開口部
２１      底板
２２      第一本体側板
２３      第二本体側板
２４      折込板
２５      ロック片
２５ａ    基端部
２５ｂ    遊離部
２６      第三本体側板
２７      補助板
２８      補助板連結部
３１      蓋板
３２      第一蓋側板
３３      第二蓋側板
３４      第一蓋連結板
３４ａ    第一蓋連結部
３４ｂ    切欠部
３４ｃ    第二蓋連結部
３５      第二蓋連結板
３５ａ    第三蓋連結部
３５ｂ    第四蓋連結部
３６      第五蓋連結部
３７      間隙部
５１      折線
５２      折線
５３      折線
５４      折線
５５      折線
５６      折線
５７      折線
５８      折線
５９      折線
６０      折線
６１      折線
６２      折線
１１１    包装用容器
１１２    容器本体
１１３    蓋体
１１４    本体開口部
１１５    蓋開口部
１２４    折込板
１３３    第二蓋側板
１３５    第二蓋連結板
１３５ａ  第三蓋連結部
１３５ｂ  第四蓋連結部
１５５    折線
２１１    包装用容器
２１２    容器本体
２１３    蓋体
２１４    本体開口部
２１５    蓋開口部
【図１】
0003185371.tif 000003
【図２】
0003185371.tif 000004
【図３】
0003185371.tif 000005
【図４】
0003185371.tif 000006
【図５】
0003185371.tif 000007
【図６】
0003185371.tif 000008
【図７】
0003185371.tif 000009
【図８】
0003185371.tif 000010
【図９】
0003185371.tif 000011
【図１０】
0003185371.tif 000012
【図１１】
0003185371.tif 000013
【図１２】
0003185371.tif 000014
【図１３】
0003185371.tif 000015
【図１４】
0003185371.tif 000016